(57)【要約】【課題】極細同軸ケーブルを使用したケーブルハーネスにおいて、接続端末の小型化と製造時間の短縮とを実現する。【解決手段】極細同軸ケーブルの端末に接続される接続端末２０としてＦＰＣを用いる。そしてその接続端末２０には直線状の折り曲げ部Ｗが設定される。折り曲げ部Ｗの両側には、中心導体接続用パターン２１とシールド接続用パッド２２とが一列に並ぶ様に配置される。これにより、シールド接続用パッド２２に対して極細同軸ケーブル１０を半田接続する加工処理を一度に実施することができるようになる。これにより製造時間の増大が生じることがなく、かつ接続端末２０の小型化を実現することができる。【選択図】図２
2007287541.tif 000002
【特許請求の範囲】
【請求項１】
複数本の同軸ケーブルの両端部に接続端末を有するケーブルハーネスであって、前記接続端末の少なくとも一方はＦＰＣにより構成され、前記ＦＰＣは、折り曲げて用いるための折り曲げ部を有し、前記ＦＰＣに前記同軸ケーブルを接続する同軸ケーブル接続部は、前記折り曲げ部の両側に配置され、前記折り曲げ部が、前記同時ケーブル接続部で並んでいる前記同軸ケーブルと垂直な向きとされていることを特徴とするケーブルハーネス。
【請求項２】
前記折り曲げ部を複数有し、少なくとも一つの前記同軸ケーブル接続部が他の同軸ケーブル接続部とは、前記折り曲げ部を通る直線方向の異なる位置に配置されていることを特徴とする請求項１に記載のケーブルハーネス。
【請求項３】
前記折り曲げ部を通る直線部分の一部にスリットを有することを特徴とする請求項１または２に記載のケーブルハーネス。
【発明の詳細な説明】
【技術分野】
【０００１】
本発明は、複数本の極細同軸ケーブルの端部に回路基板等の接続端末を有するケーブルハーネスに関する。
【背景技術】
【０００２】
携帯電話、ノートパソコン、小型ビデオカメラ等の情報機器では、液晶パネル等を備えた表示部と、機器本体部とがヒンジ部によって接続され、表示部と機器本体部との間には、回動や捻回を伴う配線構造が必要とされる。
また情報機器の小型化、薄型化が進行するにつれて、このような配線構造に対しても省スペース化、あるいは細径化が求められている。さらには、伝送信号の高速化に伴って、ＥＭＩ対策や特性インピーダンスのコントロールも要求されている。
【０００３】
このような要求に対して、安定した伝送特性と、細径で柔軟な構造からくるハーネス形状の自由度の高さから、極細同軸ケーブルを使用したケーブルハーネスが注目されている。
図６は、極細同軸ケーブルを利用したケーブルハーネスの構成例を概略的に示す図で、図中、１はケーブルハーネス、１０は極細同軸ケーブル、２０は接続端末（コネクタ）である。ケーブルハーネス１は、複数本の極細同軸ケーブル１０を有し、極細同軸ケーブル１０の両端部に接続端末２０が接続される。接続端末２０には、ＦＰＣ（フレキシブルプリント配線基板；Ｆｌｅｘｉｂｌｅ Ｐｒｉｎｔｅｄ Ｃｉｒｃｕｉｔ）や電気コネクタが用いられる。
【０００４】
図７は、情報機器のヒンジ部に配設されたケーブルハーネスを模式的に示す図である。情報機器のヒンジ部３０は、上記のように情報機器の機器本体部と表示部（いずれも図示せず）との接続部分に設けられ、機器本体部に対して表示部が開閉自在となるように構成される。そして、ケーブルハーネス１の極細同軸ケーブル１０は、ヒンジ部３０の内部を通って機器本体部側と表示部側とにその両端部がそれぞれ取り出され、両端部に設けられた接続端末２０が、機器本体部及び表示部の相手側基板にそれぞれ接続されるようになっている。
【０００５】
上記のようにヒンジ部３０にケーブルハーネス１を配設するとき、まず一方の接続端末２０をヒンジ部３０の内部に挿入し、ヒンジ部３０に設けられた所定の開口３１からその接続端末２０を取り出す必要がある。このときにヒンジ部３０の内部に極細同軸ケーブル１０を挿入できるように、極細同軸ケーブル１０を接続端末２０の近傍で約９０°曲げて、接続端末２０と極細同軸ケーブル１０とをヒンジ部３０の内部に押し込むようにしている。
【０００６】
上記のように、ケーブルハーネス１は、情報機器の組み立て時にヒンジ部３０の内部を挿通させる必要があるが、通信量が増大して極細同軸ケーブルの数が増えることにより接続端末２０の幅が広くなったり、また機器の小型化によってさらにヒンジ部３０が細径化したりすると、ケーブルハーネス１をヒンジ部３０の内部に通す作業が困難となる。
【０００７】
このような極細同軸ケーブルによるケーブルハーネスに関連し、例えば、特許文献１には、ＦＰＣ回路基板専用の接続端末（コネクタ）の搭載面積を小さくして、携帯電話の小型化を促進することを目的とした極細同軸ケーブルアセンブリが開示されている。特許文献１では、極細同軸ケーブルアセンブリは一端側に端末構造を備え、その端末構造では、多数本の極細同軸ケーブルが接続される部分（基底部）から、相手基板に接続するための接続端末側に向かって配線パターンが形成されている。そしてその配線パターンにおいて基底部のピッチよりも、接続端末側の先端部のピッチが小さくなるように構成され、これにより、接続端末の幅を小さくし、アセンブリの小型化を図っている。
【特許文献１】特開２００５−２６７９６８号公報
【発明の開示】
【発明が解決しようとする課題】
【０００８】
特許文献１に記載された構成は、端末構造部における配線パターンのピッチを変えることにより接続端末の狭幅化を図っているが、配線パターンのピッチを変えるのみでは限界がある。
【０００９】
本発明は、上述のごとき実情に鑑みてなされたもので、極細同軸ケーブルを使用したケーブルハーネスにおいて、接続端末の小型化と製造時間の短縮とを実現することを目的とする。
【課題を解決するための手段】
【００１０】
本発明によるケーブルハーネスは、複数本の同軸ケーブルの両端部に接続端末を有するケーブルハーネスであって、前記接続端末の少なくとも一方はＦＰＣにより構成されたものである。そしてＦＰＣは、折り曲げて用いるための折り曲げ部を有し、ＦＰＣに同軸ケーブルを接続する同軸ケーブル接続部は、折り曲げ部の両側に配置されている。また折り曲げ部が、同時ケーブル接続部で並んでいる前記同軸ケーブルと垂直な向きとされている。
【００１１】
また、本発明によるケーブルハーネスは、折り曲げ部を複数有し、少なくとも一つの同軸ケーブル接続部が他の同軸ケーブル接続部とは、折り曲げ部を通る直線方向の異なる位置に配置されている。
また、本発明によるケーブルハーネスは、折り曲げ部を通る直線部分の一部にスリットを有している。
【発明の効果】
【００１２】
本発明によれば、極細同軸ケーブルを使用したケーブルハーネスにおいて、接続端末を小さくすることができる。また、本発明のケーブルハーネスを製造するのに、各同軸ケーブルを接続端末に接続する時間が短くてすむ。
【発明を実施するための最良の形態】
【００１３】
図により本発明の実施形態を説明する。図１は本発明に適用する極細同軸ケーブルの一例を説明する図である。極細同軸ケーブル１０としては、その内側から中心導体１４、絶縁体１３、シールド１２、及び外被１１を順次同軸状に配した形状のものを用いることができる。中心導体１４は、例えば、外径約０.０３ｍｍの銅合金線を７本撚って形成され、その外面にＰＦＡ（テトラフルオロエチレン・パーフルオロアルキルビニルエーテル共重合体）樹脂等の絶縁材が被覆されて、外径０.１７〜０.２４ｍｍの絶縁体１３が形成される。
【００１４】
絶縁体１３の外周面に配するシールド１２は、例えば、外径約０.０３ｍｍの錫メッキ合金線を横巻で巻付けて形成される。そしてその外面に例えば厚さ０.００４ｍｍ程度のポリエステルテープが重ね巻され、もしくは厚さ０.０３ｍｍ程度のＰＦＡが被覆されることにより外被１１が形成される。外被１１の外径は、例えば、０.２９〜０.３５ｍｍ程度である。なお、シールド１２は、横巻に代えて編組構造であってもよく、シールド１２の外周に銅蒸着テープを巻き付けた構造であってもよい。なお上記の寸法や仕様は、本発明に適用可能な極細同軸ケーブルの一例であって、本発明はこれらに限定されることはないことは明らかである。
【００１５】
本実施形態のケーブルハーネス１は、複数本の極細同軸ケーブル１０の両端部に、ＦＰＣからなる接続端末２０が接続される。ただし本発明に関わる実施形態では、下記に説明するように折り曲げ可能な接続端末２０が形成される。折り曲げたＦＰＣの幅は、携帯電話やノートＰＣ、あるいはデジタルスチールカメラ等のヒンジ部に挿通可能な幅とする。
【００１６】
図２は、本発明のケーブルハーネスに使用する接続端末の構成例を示す要部概略図である。接続端末２０には、極細同軸ケーブル１０の中心導体１４を接続するための中心導体接続用パターン２１と、極細同軸ケーブル１０のシールド１２に半田付けされたグランドバー４０を接続するためのシールド接続用パッド２２とが設けられる。シールド接続用パッド２２は、グランドバー４０を介して極細同軸ケーブル１０のシールド１２に電気的に接続される。そしてこれら中心導体接続用パターン２１と、シールド接続用パッド２２とにより、極細同軸ケーブル１０を接続するための同軸ケーブル接続部が構成される。
【００１７】
接続端末２０に対する極細同軸ケーブル１０の接続加工は、図３，図４に示すように、まず各極細同軸ケーブル１０の端末部の外被１１を除去し、中心導体１４とシールド１２とを露出させる。そしてこの極細同軸ケーブル１０を複数配列し、シールド１２の上下からグランドバー４０を半田付けする。そして上下に半田付けしたグランドバー４０の一方を、接続端末２０のシールド接続用パッド２２に半田付けし、各中心導体１４を所定の中心導体接続用パターン２１に半田付けする。
【００１８】
なお、極細同軸ケーブル１０を接続端末２０の同軸ケーブル接続部に接続する構成は、上記の例に限定されず、例えば、グランドバー４０を用いることなく、極細同軸ケーブル１０のシールド１２が直接シールド接続用パッド２２に接続されるようにしてもよい。
【００１９】
図２に示す構成の接続端末２０には、直線状の折り曲げ部Ｗが設定され、折り曲げ部Ｗにて接続端末２０を折り曲げて用いることにより、接続端末２０の幅を狭くして省スペース化を図るようにしている。また折り曲げ部Ｗを通る直線部分の一部には、スリットＳが設けられ、接続端末２０を折り曲げやすくしている。スリットＳの長さは、配線パターンにかからない程度に長くすればよい。
そして折り曲げ部Ｗの両側に、中心導体接続用パターン２１と、シールド接続用パッド２２とを配置する。このときこれら折り曲げ部Ｗの両側に配置された中心導体接続用パターン２１とシールド接続用パッド２２は、それぞれ極細同時ケーブルの配列方向に沿って横に並ぶように（極細同軸ケーブルの長さ方向に同じ位置に）配置される。
【００２０】
本実施形態では、上記のように中心導体接続用パターン２１とシールド接続用パッド２２とを一列に配置することにより、接続端末２０の製造時間を増加させることなく省スペース化が実現される。
すなわち、横に並ぶ二つのシールド接続用パッド２２に対してグランドバー４０を半田接続する加工処理を、一度に実施することができるようになる。ところで、図８の構成のように、接続端末２０の幅を小さくするために同軸ケーブル接続部を複数段にすると、各段ごとに極細同軸ケーブルと接続パターンとを接続しなければならず、製造時間が長くかかる。
【００２１】
図５は、本発明のケーブルハーネスに使用する接続端末の他の構成例を示す概略図である。本実施形態の接続端末２０は、折り曲げ部Ｗを複数有し、各折り曲げ部Ｗの両側に極細同軸ケーブル１０を接続するための同軸ケーブル接続部を配置している。この例では、シールド接続用パッド２２及び中心導体接続用パターン２１を６つに分割し、分割したそれぞれのシールド接続用パッド２２及び中心導体接続用パターン２１の間に、折り曲げ部Ｗを設定している。
【００２２】
これらの折り曲げ部Ｗで接続端末２０を折り曲げることによって、小型化して、細径のヒンジ部に通すことができる。
また本実施形態では、接続端末２０を折り曲げたときに、シールド接続用パッド２２及び中心導体接続用パターン２１からなる同軸ケーブル接続部を二つの組とし、別の組の同軸ケーブル接続部が、折り曲げ部Ｗを通る直線方向の異なる位置に配置されるようにしている。これにより、接続端末２０を折り曲げたときに、同軸ケーブル接続部が複数組重なってそこだけ厚さが厚くなりすぎるということがない。
【図面の簡単な説明】
【００２３】
【図１】本発明に適用する極細同軸ケーブルの一例を説明する図である。
【図２】本発明のケーブルハーネスに使用する接続端末の構成例を示す要部概略図である。
【図３】接続端末に対して極細同軸ケーブルを接続するときの構成例を説明するための図である。
【図４】接続端末に対して極細同軸ケーブルを接続するときの構成例を説明するための他の図である。
【図５】本発明のケーブルハーネスに使用する接続端末の他の構成例を示す概略図である。
【図６】従来の極細同軸ケーブルを利用したケーブルハーネスの構成例を概略的に示す図である。
【図７】従来の情報機器のヒンジ部に配設されたケーブルハーネスを模式的に示す図である。
【図８】従来の２段構成で極細同軸ケーブルを接続する接続端末の一例を示す図である。
【符号の説明】
【００２４】
１…ケーブルハーネス、１０…極細同軸ケーブル、１１…外被、１２…シールド、１３…絶縁体、１４…中心導体、２０…接続端末、２１…中心導体接続用パターン、２２…シールド接続用パッド、３０…ヒンジ部、３１…開口、４０…グランドバー。
【図１】
2007287541.tif 000003
【図２】
2007287541.tif 000004
【図３】
2007287541.tif 000005
【図４】
2007287541.tif 000006
【図５】
2007287541.tif 000007
【図６】
2007287541.tif 000008
【図７】
2007287541.tif 000009
【図８】
2007287541.tif 000010